(57)【要約】【課題】ネット状部材の端部を強固に固定してネット状部材の張設する際の作業性を向上させると共に、ネット状部材に弛みが生じにくい防風雪柵におけるネット状部材の保持構造を提供せんとする。【解決手段】間隔を空けて立設された支柱１間に保持部材３を介してネット状部材２が左右方向に張設される。前記保持部材３は、上下方向に延びる平面がコ字状の保持枠４と、前記ネット状部材２の端部２１が捲回され、一方の側壁と奥壁に当接可能な面を有し、前記保持枠内に配置された芯材５と、前記保持枠の他方の側壁に接して配置される押圧部材６とを備える。前記押圧部材６と前記芯材５が傾斜面で互いに当接する状態で、前記押圧部材６を保持枠４の奥壁方向へ押圧する押圧手段を備える。前記押圧部材６が前記保持枠４の奥壁方向に移動することによって、前記ネット状部材２の端部２１が、捲回した前記芯材５の面と前記押圧部材６の傾斜面、前記保持枠４の奥壁及び一方の側壁とで挟着される。【選択図】  図３
2020176459.tif 000002
【特許請求の範囲】
【請求項１】
間隔を空けて立設された支柱間に保持部材を介してネット状部材が左右方向に張設された防風雪柵において、前記保持部材は、上下方向に延びる平面がコ字状の保持枠と、前記ネット状部材の端部が捲回され、一方の側壁と奥壁に当接可能な面を有し、前記保持枠内に配置された芯材と、前記保持枠の他方の側壁に接して配置される押圧部材とを備え、前記押圧部材と前記芯材が傾斜面で互いに当接する状態で、前記押圧部材を保持枠の奥壁方向へ押圧する押圧手段とを備え、前記押圧部材が前記保持枠の奥壁方向に移動することによって、前記ネット状部材の端部が、捲回した前記芯材の面と前記押圧部材の傾斜面、前記保持枠の奥壁及び一方の側壁とで挟着されることを特徴とする防風雪柵におけるネット状部材の保持構造。
【請求項２】
保持枠の一方の側壁が内側に傾斜しており、接する芯材の面も対応する傾斜面に形成されていることを特徴とする請求項１に記載の防風雪柵におけるネット状部材の保持構造。
【請求項３】
保持枠の他方の側壁は、奥壁に対して押圧部材の進退と一致する直角に突出しており、接する前記押圧部材の面も対応する角度面に形成されていることを特徴とする請求項１又は２に記載の防風雪柵におけるネット状部材の保持構造。
【請求項４】
保持枠の他方の側壁の先端部に突合するストッパー片を、押圧部材が備えていることを特徴とする請求項１乃至３のいずれかに記載の防風雪柵におけるネット状部材の保持構造。
【請求項５】
保持枠、押圧部材及び芯材をアルミ合金で成形したことを特徴とする請求項１乃至４のいずれかに記載の防風雪柵におけるネット状部材の保持構造。
【発明の詳細な説明】
【技術分野】
【０００１】
本発明は、防風雪柵に関するものであり、詳しくは防雪ネットの固定構造に関し、防風雪ネットの一部に集中した力を作用させることなく、端部上下に亘って固定するとともに、簡単な構造により部材コスト面や施工性に優れる防風雪ネットの保持構造を提供するものである。
【背景技術】
【０００２】
従来、強風や積雪から車両等を防護するために道路等に沿って設置される防風雪柵において、防風雪板として、繊維を編みこんだものや、板に多数の透孔を形成されたもの等のネット状部材が用いられるもがある。
このようなネット状部材を、間隔を空けて立設された支柱間に張設する場合、従来はネット自体に孔をあけてボルトナットで支柱に固定していた為、ネットの強度低下や孔加工の問題があった。
【０００３】
そこで、特開２００５−１６３４２９号公報では、パイプに防雪ネットの張り方向にボルトを貫設して柱状体を形成するとともに、ボルト貫通孔の中間でパイプにスリットを具備せしめ、防雪ネットの端部をスリットの反対側からパイプに巻回して該スリットに挿入し、パイプをボルトに螺合したナットにより締着したことを特徴とする防雪ネットの固定構造が提案されている。
【０００４】
また、特開２００９−７４３５８号公報では、間隔を空けて立設された支柱間に保持部材を介してネット状部材が左右方向に張設され、前記保持部材は、上下方向に延びる奥広の収納溝と、前記収納溝の開口側に配置される圧接部材と、前記圧接部材を背面側から開口側に押圧する押圧部材とを備え、収納溝内に挿入されたネット状部材の端部が、圧接部材により収納溝の内壁に圧接されると共に、圧接部材と押圧部材との間に挟着した構成が開示されている。
【０００５】
さらに、特開２０１８−２１４１３号公報では、間隔をあけて立設された支柱間に縦枠材を介してネット状部材が左右方向に張設され、前記縦枠材は縦枠材本体を備え、該縦枠材本体は、上下方向に延びる収容部と、その収容部に収容される芯材と、その芯材を左右方向に押圧する押圧部材と、その押圧部材と対向する位置に左右方向に前記収容部の内側に向けて突設する突設部とを備え、前記芯材に前記ネット状部材の端部が固定されると共に巻回されてなり、前記収容部に収容された前記ネット状部材が巻回された前記芯材が前記押圧部材と前記突設部と前記芯材とにより挟着した構成が開示されている。
【先行技術文献】
【特許文献】
【０００６】
【特許文献１】特開２００５−１６３４２９号公報
【特許文献２】特開２００９−７４３５８号公報
【特許文献３】特開２０１８−２１４１３号公報
【発明の概要】
【発明が解決しようとする課題】
【０００７】
特許文献１の公報では、ネット部材を当接し固定押圧するのが線又は一面にすぎず充分な挟着力を得られていない。
また、特許文献２の公報では、構成部材が４部材で複雑化と成ること、構築に際して押圧部材へ圧接部材と押圧部材を上下方向へ挿入して構成するため互いに長尺部材同士であるため作業性に問題がある。
【０００８】
また、特許文献３の公報では、基本として縦枠材と芯材の２部材であるが、共に２分割されて１部材に形成しており、複雑な構成であることに前記公報と変わりない。
そして、特殊な形状とした芯材を縦枠内に配置するのに横方向から挿入できるようにするために縦枠材を２分割して形成したものである。
【０００９】
さらに、上記特許文献２及び３の公報においては、押圧ボルトが支柱側から螺入して芯材を押圧して挟着する構成であるから、ネット部材が風を受け前後にしなると、ネット部材の端部が巻かれている芯材がネット部材の中央側である非張設方向に作用を受けて押圧部材と離反して挟着を緩めるおそれがある。
【００１０】
そこで、本発明はネット状部材の端部を強固に固定してネット状部材の張設する際の作業性を向上させると共に、ネット状部材に弛みが生じにくい防風雪柵におけるネット状部材の保持構造を提供せんとするものである。
【課題を解決するための手段】
【００１１】
本発明の防風雪柵におけるネット状部材の保持構造において、請求項１の発明は、間隔を空けて立設された支柱間に保持部材を介してネット状部材が左右方向に張設された防風雪柵において、前記保持部材は、上下方向に延びる平面がコ字状の保持枠と、前記ネット状部材の端部が捲回され、一方の側壁と奥壁に当接可能な面を有し、前記保持枠内に配置された芯材と、前記保持枠の他方の側壁に接して配置される押圧部材とを備え、前記押圧部材と前記芯材が傾斜面で互いに当接する状態で、前記押圧部材を保持枠の奥壁方向へ押圧する押圧手段とを備え、前記押圧部材が前記保持枠の奥壁方向に移動することによって、前記ネット状部材の端部が、捲回した前記芯材の面と前記押圧部材の傾斜面、前記保持枠の奥壁及び一方の側壁とで挟着されることを特徴とするものである。
【００１２】
請求項２の防風雪柵におけるネット状部材の保持構造の発明は、請求項１の発明において、保持枠の一方の側壁が内側に傾斜しており、接する芯材の面も対応する傾斜面に形成されていることを特徴とするものである。
【００１３】
請求項３の防風雪柵におけるネット状部材の保持構造の発明は、請求項１又は２の発明において、保持枠の他方の側壁は、奥壁に対して押圧部材の進退と一致する直角に突出しており、接する前記押圧部材の面も対応する角度面に形成されていることを特徴とするものである。
【００１４】
請求項４の防風雪柵におけるネット状部材の保持構造の発明は、請求項１乃至３のいずれかの発明において、保持枠の他方の側壁の先端部に突合するストッパー片を、押圧部材が備えていることを特徴とするものである。
【００１５】
請求項５の防風雪柵におけるネット状部材の保持構造の発明は、請求項１乃至４のいずれかの発明において、保持枠、押圧部材及び芯材をアルミ合金で成形したことを特徴とするものである。
【発明の効果】
【００１６】
本願発明は、押圧部材と前記芯材が傾斜面で互いに当接する状態で前記押圧部材が押圧手段によって前記保持枠の奥壁方向に移動することによって、前記押圧部材が前記保持枠の奥壁方向と一方の側壁方向へおされて移動し、前記ネット状部材の端部が、捲回した前記芯材と前記押圧部材の傾斜面、前記保持枠の奥壁及び一方の側壁とで強固に挟着することになる。
したがって、前記芯材に捲回したネット状部材の端部は芯材の３面において挟着されるため強固な保持力を得られる効果を発揮する。
【００１７】
そして、防雪ネットが風を受けてネット状部材が引き抜けようとする力が働いても、３面の異なる方向の面で挟着されていること、前記芯材と前記押圧部材の傾斜面で挟着されていることで前記芯材が保持枠から脱する方向に浮き上がってネット状部材の挟着が緩むことを防止する効果を発揮しネット状部材が抜けるおそれはない。
【００１８】
また、請求項２において、保持枠の一方の側壁が内側に傾斜し、接する芯材の面も対応する傾斜面に形成することにより、前記芯材と前記押圧部材の傾斜面での挟着と相俟って，前記芯材が保持枠から脱する方向に浮き上がってネット状部材の挟着が緩むことを防止する一層の効果を発揮する。
【００１９】
また、請求項３において、他方の側壁は、奥壁に対して押圧部材の進退と一致する直角に突出して前記押圧部材の前後方向への移動を確実に受け止めるため、前記芯材と前記押圧部材の傾斜面でのネット状部材の挟着作用を維持・補強する効果を発揮する。
【００２０】
また、請求項４において、保持枠の他方の側壁の先端部に突合するストッパー片を、押圧部材が備えていることで、必要以上の過度の押圧で保持部材やネット状部材の変形・破損等を防止する効果を有する。
【００２１】
さらに、請求項４において、保持枠、押圧部材及び芯材をアルミ合金で成形することで、従来は鉄製に比べて軽量化でき施工性を向上させる効果を有する。
【図面の簡単な説明】
【００２２】
【図１】本発明の一実施の形態を示す防風雪柵の一部正面図である。
【図２】本発明の一実施の形態を示すネット状部材が保持部材を介して支柱に張設された状態を示す支柱のフランジを除いた正面図である。
【図３】本発明の一実施の形態を示すネット状部材と保持部材の保持構造を示す横断平面図である。
【図４】ネット状部材が保持部材に挟持される過程を示す横断平面図である。
【図５】本発明の一実施の形態を示すネット状部材が保持部材を介して支柱に張設された状態を示す横断平面図である。
【発明を実施するための形態】
【００２３】
本発明の一実施の形態を図面に基づいて説明する。
図１は本発明の一実施の形態を示す防風雪柵の一部正面図、図２はネット状部材が保持部材を介して支柱に張設された状態を示す支柱のフランジを除いた正面図である。
図面において、１は支柱、２はネット状部材であり、ネット状部材２の両端部２１は保持部材３に支持されており、保持部材３を支柱１に固定することによって、保持部材３を介してネット状部材２が支柱１，１の間に張設された防風雪柵を構成している。
【００２４】
図面では、防風雪柵の下部は折曲板が張設されており、その上方はネット状部材２が張設された組合せと成っている。
支柱１は適宜間隔で立設固定されており、Ｈ形鋼でウエブ面１１に前記保持部材３や折曲板を取付けるボルト用透孔１２が所定位置に穿設されている。
ネット状部材２は、一般に言う各種ネットに限定されるものではなく、パンチング加工を施した可等性のある各種素材のシート状のものであってもよい。
【００２５】
保持部材３は、ネット状部材２が支柱１に張設される幅の上下方向に延びる平面がコ字状の保持枠４と、前記保持枠４内に配置される芯材５と、押圧部材６と、前記押圧部材６を保持枠４の奥壁４１の方向へ押圧する押圧手段であるボルト７及びナット８より構成される。
芯材５と押圧部材６は保持枠４と同等の上下長を有する。
また、保持枠４、芯材５及び押圧部材６をアルミ合金で成形すれば、鋼材よりも軽量で強度も充分で扱いやす利点がある。
【００２６】
保持枠４の基本形は平面（横断面）コ字状の長尺体であり、奥壁４１に支柱１への張設用ボルト孔４４と、押圧部材６の締め付け用ボルト孔４５が適宜間隔で複数穿設されている。
図面では保持枠４の一方の側壁４２が内側に傾斜して開口部が奥部より狭く形成され、他方の側壁４３は奥壁４１に対して押圧部材６の進退と一致する直角に突出している。
【００２７】
芯材５は、後壁５１が保持枠４の奥壁４１に当接可能で、一方の側壁５２が保持枠４の一方の側壁４２に当接可能な互いの形状を有する。
また、芯材５の他方の側壁５３は後壁５１に対して鋭角となる斜面となっており、後述の押圧部材６の一側壁と当接可能となっている。
図面では平面コ字状の保持枠４の一方の側壁４２が内側に傾斜しており、当接する芯材５の一方の側壁５２の面も対応する傾斜面に形成されるため、断面が三角形の柱状体と成っている。
【００２８】
押圧部材６は、一方の側壁６２を前記芯材５の他方の側壁５３と当接可能な傾斜面とし、他方の側壁６３は前記保持枠４の他方の側壁４３と当接可能な角度を有し、横断面が台形状の長尺枠体である。
また、前・後壁６１，６４を連通する締め付け用ボルト孔６５，６６が前記保持枠４の締め付け用ボルト孔４５に対応して穿設してある。
【００２９】
そこで、保持部材３にネット部材２を保持させるには、先ず芯材５にネット部材２の端部２１を捲回して保持枠４の中に配置する。
次に、前記芯材５の他方の側壁５３に当接する傾斜面に押圧部材６一方の側壁６２の傾斜面を当接させると共に、他方の側壁６３が前記保持枠４の他方の側壁４３に当接させて配置する。
そして、一直線上に位置する前記保持枠４の締め付け用ボルト孔４５及び押圧部材６の前・後壁６１，６４を連通する締め付け用ボルト孔６５，６６へ、前記保持枠４の奥壁４１の背面からボルト７を挿通し、押圧部材６の前壁６１をナット８で締め付けてネット状部材２の端部２１を挟着するのである。
【００３０】
さすれば、押圧部材６が保持枠４の奥壁４１の方向に移動するに従い、芯材５の他方の側壁５３が押圧部材６の一方の側壁６２と傾斜面で押圧しているため、芯材５は保持枠４の奥壁４１方向及び一方の側壁４２の横方向へも押されて保持枠４内を移動するのである。
したがって、芯材５に捲回した前記ネット状部材２の端部２１を、捲回した芯材５と押圧部材６の一方の側壁６２の傾斜面、保持枠４の奥壁４１の面及び一方の側壁４２の面とで挟着して強力に固定できるのである。
【００３１】
この時、押圧部材６の他方の側壁６３は保持枠４の他方の側壁４３に当接してしっかりと支持され反力を得ているため、ボルト７の強度と共に芯材５を保持枠４の奥壁４１方向及び一方の側壁４２の横方向への充分な押圧力を得られる。
また、前記芯材５の一方の側壁５２が保持枠４の内側に傾斜した一方の側壁４２に当接し、前記芯材５の他方の側壁５３が押圧部材６の一方の側壁６２と傾斜面で押圧されているため、阻止浮き上がるのを阻止され、保持枠４の奥壁４１に押しつけられる恰好でネット部材２の端部２１を挟着することになる。
【００３２】
さらに、押圧部材６に保持枠４の他方の側壁４３の先端部に突合するストッパー片６９を突設してあるため、必要以上の過度の押圧で保持部材やネット状部材の変形・破損等を防止する。
【００３３】
以上の説明は、保持部材３にネット部材２を保持させる工程であり、工場や柵設置現場との関係で作業性や運搬を検討考慮して作業場を選択すればよい。
そして、設置現場に置いて支柱１を特定間隔で立設固定し、支柱１の間隔に応じた横幅長さを充たすネット部材２を保持した保持部材３を支柱１に取付けるものである。
【００３４】
記述のように、支柱１のウエブ面１１に保持部材３を取付けるボルト用透孔１２が所定位置に穿設されている。
一方、保持枠４及び押圧部材６の前・後壁６１，６４には前記ボルト用透孔１２と対応して、夫々一直線上に位置する張設用ボルト孔４４及び張設用ボルト孔６７，６８が穿設してある。
そこで、これ等の張設用ボルト孔へ、ウエブ面１１の背面からボルト７１を挿通し、押圧部材６の前壁６１をナット８１で締め付け、張設具合を調整してネット部材２を保持した保持部材３を支柱１に取付けるものである。
【００３５】
以上のように、図面に基づいて本発明を説明したけれど、この実施の形態における具体的構成は一例であり、同様の作用効果を得られる他の構成又は手段を排除するものではない。
【符号の説明】
【００３６】
１        支柱
１１      ウエブ面
１２      ボルト用透孔
２        ネット部材
２１      端部
３        保持部材
４        保持枠
４１      奥壁
４２，５２，６２  一方の側壁
４３，５３，６３  他方の側壁
４４，６７，６８  張設用ボルト孔
４５，６５，６６  締め付け用ボルト孔
５        芯材
５１      後壁
６        押圧部材
６１      前壁
６４      後壁
７，７１  ボルト
８，８１  ナット
【図１】
2020176459.tif 000003
【図２】
2020176459.tif 000004
【図３】
2020176459.tif 000005
【図４】
2020176459.tif 000006
【図５】
2020176459.tif 000007